【手続補正書】
【提出日】平成30年4月25日(2018.4.25)
【手続補正１】
【補正対象書類名】特許請求の範囲
【補正対象項目名】全文
【補正方法】変更
【補正の内容】
【特許請求の範囲】
【請求項１】
浸出残渣スラリーを貯留用池に排出する設備であって、
前記貯留用池の水面に浮かぶ浮遊体を備えた、浸出残渣スラリーを吐出する吐出部と、
該吐出部に対して浸出残渣スラリーを供給する供給部と、を備えており、
該供給部は、
前記貯留用池の周囲に設置された固定配管と、
該固定配管と前記吐出部を接続する接続配管と、を備えており、
該接続配管は、
前記貯留用池の水面に浮かぶ複数のフロート部を備えており、
該複数のフロート部は、
前記接続配管の軸方向に沿って、隣接する前記フロート部同士が接近離間し得るように取り付けられており、
隣接する前記フロート部同士において、一のフロート部の端部と、該端部に対向する他のフロート部の他端部とが互いに連結分離自在な連結機構を備えており、
該連結機構は、
前記フロート部を前記接続配管に沿って移動させるフロート移動手段と、隣接する前記フロート部が接近した状態において、前記接続配管の半径方向の移動を固定するフロート固定手段と、を備えている
ことを特徴をとする浸出残渣スラリーの排出施設。
【請求項２】
浸出残渣スラリーを貯留用池に排出する設備であって、
前記貯留用池の水面に浮かぶ浮遊体を備えた、浸出残渣スラリーを吐出する吐出部と、
該吐出部に対して浸出残渣スラリーを供給する供給部と、を備えており、
前記供給部は、
前記貯留用池の周囲に設置された固定配管と、
該固定配管と前記吐出部を接続する接続配管と、を備えており、
該接続配管は、
前記貯留用池の水面に浮かぶ複数のフロート部を備えており、
前記固定配管は、
前記貯留用池を囲むように設けられており、
前記接続配管と接続可能な流出部を複数備えている
ことを特徴とする浸出残渣スラリーの排出施設。
【請求項３】
前記フロート固定手段が、
前記一のフロート部の端部に設けられた凸部と、前記他のフロート部の他端部に設けられ凹み部と、からなり、
隣接する前記フロート部同士が接近した状態において、前記凸部を前記凹み部に嵌合した状態で前記フロート部同士を固定する
ことを特徴をとする請求項１記載の浸出残渣スラリーの排出施設。
【請求項４】
前記フロート移動手段が、
前記接続配管の基端部に取り付けられた前記フロート部を該接続配管に沿って移動させる機能を有しており、
前記フロート部のうち、前記接続配管の先端部に位置するフロート部が、該接続配管に固定されている
ことを特徴をとする請求項１または３記載の浸出残渣スラリーの排出施設。
【請求項５】
前記フロート移動手段が、
前記接続配管の最先端に取り付けられた前記フロートを該接続配管に沿って移動させる機能を有しており、
前記フロート部のうち、前記接続配管の基端部に位置するフロート部が、該接続配管に固定されている
ことを特徴をとする請求項１または３記載の浸出残渣スラリーの排出施設。
【請求項６】
前記フロート部が、
前記接続配管が浮いた状態を維持し得る浮力を有しており、
該フロート部の重心よりも上方に前記接続配管の中心軸が位置するように前記接続配管に取り付けられている
ことを特徴をとする請求項１、３、４または５記載の浸出残渣スラリーの排出施設。
【請求項７】
前記フロート部が、
前記接続配管が浮いた状態を維持し得る浮力を有しており、
該フロート部には、
両端間を連通する、該接続配管の外径よりもやや大きい内径を有する連通孔が形成されており、
該連通孔に前記接続配管を収容した状態で取り付けられている
ことを特徴をとする請求項１、３、４または５記載の浸出残渣スラリーの排出施設。
【請求項８】
前記浸出残渣スラリーが、
ニッケル酸化鉱石からニッケルを浸出した浸出残渣を含有するスラリーである
ことを特徴とする請求項１乃至７のいずれかに記載の浸出残渣スラリーの排出施設。
【手続補正２】
【補正対象書類名】明細書
【補正対象項目名】００１１
【補正方法】変更
【補正の内容】
【００１１】
第１発明の浸出残渣スラリーの排出施設は、浸出残渣スラリーを貯留用池に排出する設備であって、前記貯留用池の水面に浮かぶ浮遊体を備えた、浸出残渣スラリーを吐出する吐出部と、該吐出部に対して浸出残渣スラリーを供給する供給部と、を備えており、該供給部は、前記貯留用池の周囲に設置された固定配管と、該固定配管と前記吐出部を接続する接続配管と、を備えており、該接続配管は、前記貯留用池の水面に浮かぶ複数のフロート部を備えており、該複数のフロート部は、前記接続配管の軸方向に沿って、隣接する前記フロート部同士が接近離間し得るように取り付けられており、隣接する前記フロート部同士において、一のフロート部の端部と、該端部に対向する他のフロート部の他端部とが互いに連結分離自在な連結機構を備えており、該連結機構は、前記フロート部を前記接続配管に沿って移動させるフロート移動手段と、隣接する前記フロート部が接近した状態において、前記接続配管の半径方向の移動を固定するフロート固定手段と、を備えていることを特徴とする。
第２発明の浸出残渣スラリーの排出施設は、浸出残渣スラリーを貯留用池に排出する設備であって、前記貯留用池の水面に浮かぶ浮遊体を備えた、浸出残渣スラリーを吐出する吐出部と、該吐出部に対して浸出残渣スラリーを供給する供給部と、を備えており、前記供給部は、前記貯留用池の周囲に設置された固定配管と、該固定配管と前記吐出部を接続する接続配管と、を備えており、該接続配管は、前記貯留用池の水面に浮かぶ複数のフロート部を備えており、前記固定配管は、前記貯留用池を囲むように設けられており、前記接続配管と接続可能な流出部を複数備えていることを特徴とする。
第３発明の浸出残渣スラリーの排出施設は、第１発明において、前記フロート固定手段が、前記一のフロート部の端部に設けられた凸部と、前記他のフロート部の他端部に設けられ凹み部と、からなり、隣接する前記フロート部同士が接近した状態において、前記凸部を前記凹み部に嵌合した状態で前記フロート部同士を固定することを特徴とする。
第４発明の浸出残渣スラリーの排出施設は、第１または第３発明において、前記フロート移動手段が、前記接続配管の基端部に取り付けられた前記フロート部を該接続配管に沿って移動させる機能を有しており、前記フロート部のうち、前記接続配管の先端部に位置するフロート部が、該接続配管に固定されていることを特徴とする。
第５発明の浸出残渣スラリーの排出施設は、第１または第３発明において、前記フロート移動手段が、前記接続配管の最先端に取り付けられた前記フロートを該接続配管に沿って移動させる機能を有しており、前記フロート部のうち、前記接続配管の基端部に位置するフロート部が、該接続配管に固定されていることを特徴とする。
第６発明の浸出残渣スラリーの排出施設は、第１、第３、第４または第５発明において、前記フロート部が、前記接続配管が浮いた状態を維持し得る浮力を有しており、該フロート部の重心よりも上方に前記接続配管の中心軸が位置するように前記接続配管に取り付けられていることを特徴とする。
第７発明の浸出残渣スラリーの排出施設は、第１、第３、第４または第５発明において、前記フロート部が、前記接続配管が浮いた状態を維持し得る浮力を有しており、該フロート部には、両端間を連通する、該接続配管の外径よりもやや大きい内径を有する連通孔が形成されており、該連通孔に前記接続配管を収容した状態で取り付けられていることを特徴とする。
第８発明の浸出残渣スラリーの排出施設は、第１発明乃至第７発明のいずれかに記載の発明において、前記浸出残渣スラリーが、ニッケル酸化鉱石からニッケルを浸出した浸出残渣を含有するスラリーであることを特徴とする。
【手続補正３】
【補正対象書類名】明細書
【補正対象項目名】００１２
【補正方法】変更
【補正の内容】
【００１２】
第１発明によれば、連結機構によってフロート部同士を連結すれば、フロート部の接続配管の軸方向への移動およびフロート部の接続配管の半径方向への移動がそれぞれ固定される。つまり、複数のフロート部を一本の棒状に形成することができる。そして、かかる状態のまま、接続配管の基端を支点として吐出部を移動させれば、フロート部を棒状のまま移動させることができる。このとき、連結機構のフロート固定手段によって、隣接するフロート部同士がしっかりと固定されているので、横方向からの力をフロート部で支持することができる。すると、接続配管を揺動させた際に接続配管が変形等して破損するのを防止することができる。したがって、接続配管を揺動させるだけで、揺動範囲に存在するスラリー沈殿物の山を簡単に崩すことができるので、浸出残渣スラリーの供給を効率よく行うことができる。しかも、かかる山を崩してならすことによって、貯留用池に均一にスラリー沈殿物を堆積させることができるので、貯留用池全体を浸出残渣スラリーを貯留する領域として有効に活用することができる。
第２発明によれば、浮遊体によって吐出部は貯留用池の水面に浮かんでいるので、貯留用池の水面上で吐出部を移動させれば、吐出部を貯留用池の所望の位置に配置することができる。したがって、貯留用池の水際から中央部まで、浸出残渣スラリーを貯留する領域として有効に活用することができる。そして、接続配管がフロート部を備えているので、吐出部の移動が容易になる。しかも、接続配管を接続する固定配管の流出部を変更すれば、接続配管の長さを長くしなくても、貯留用池の全域に吐出部を配置させることができる。
第３発明によれば、フロート固定手段の凸部と凹み部を嵌合させることによって、隣接するフロート部同士の連結状態を維持することができる。
第４発明および第５発明によれば、フロート移動手段によって、所定のフロート部を移動させるだけで、フロート部を簡単に棒状の状態にできる。
第６発明によれば、接続配管をフロート部の上部に載置した状態で浮かばせることができるので、スラリー沈殿物に起因する接続配管への損傷を抑制することができる。
第７発明によれば、フロート部を連結すれば、フロート部によって接続配管を覆うことができるので、スラリー沈殿物に起因する接続配管への損傷を防止することができる。
第８発明によれば、ニッケル酸化鉱石からニッケルを浸出した浸出残渣を含むスラリーを効率よく貯留用池に貯留できるので、浸出残渣スラリーの処理効率を向上できる。